(57)【要約】      （修正有）【課題】従来よりも部品点数を低減でき、安価で組み立てが容易な網戸を提供する。【解決手段】網戸３は、枠体を構成する縦枠に固定される戸当り枠３５と、一の枠材に対向する枠材に固定される固定框３３と、戸当り枠３５と固定框３３の間を見付方向に移動可能な可動框３４と、固定框３３と可動框３４との間に配置され、一端が固定框３３に固定されるとともに他端が可動框３４に固定されて可動框３４の移動に伴って伸縮可能な網材４と、一端が戸当り枠３５に固定され、可動框３４から固定框３３まで網材４を縫って掛け渡されるワイヤ５１，５２，５３と、固定框３３と網材４の間に固定框３３に沿って延設され、ワイヤが挿通される挿通孔６１を有する固定側取付板６と、ワイヤの他端が固定されるとともに、固定側取付板６にその延設方向にスライド可能に取り付けられることで、ワイヤの張り具合を調整可能な固定調整部材８と、を備える。【選択図】図４
2015227566.tif 000002
【特許請求の範囲】
【請求項１】
建物の開口部に取り付けられた枠体内に納められる網戸であって、
前記枠体を構成する一の枠材に固定される戸当り枠と、
前記一の枠材に対向する枠材に固定される固定框と、
前記戸当り枠と前記固定框の間を見付方向に移動可能な可動框と、
前記固定框と前記可動框との間に配置され、一端が前記固定框に固定されるとともに他端が前記可動框に固定されて前記可動框の移動に伴って伸縮可能な網材と、
一端が前記戸当り枠に固定され、前記可動框から前記固定框まで前記網材を縫って掛け渡されるワイヤと、
前記固定框と前記網材の間に前記固定框に沿って延設され、前記ワイヤが挿通される挿通孔を有する取付板と、
前記ワイヤの他端が固定されるとともに、前記取付板にその延設方向にスライド可能に取り付けられることで、前記ワイヤの張り具合を調整可能な固定調整部材と、を備えることを特徴とする網戸。
【請求項２】
前記取付板は、その延設方向に延びる長孔を有し、
前記固定調整部材は、板材で構成されて前記長孔にねじ止めされることを特徴とする請求項１に記載の網戸。
【請求項３】
前記固定調整部材は、前記板材に前記ワイヤの他端部が巻回されて固定されることを特徴とする請求項２に記載の網戸。
【発明の詳細な説明】
【技術分野】
【０００１】
本発明は、網戸に関する。より詳しくは、収納式の網戸に関する。
【背景技術】
【０００２】
従来、建物の開口部に取り付けられた枠体には、障子の開放時に害虫が屋内に侵入するのを防止するため、網戸が納められている。網戸としては、矩形に框組みされた框体内に矩形の網材を取り付け、これを枠体内に納めて引き戸式としたものが一般的である。
【０００３】
ところが網戸を使用していないときには、網材が露出していない方が意匠性や汚れ防止の観点から好ましいため、近年、網材が伸縮可能な収納式の網戸が多く用いられている。この収納式の網戸は、網材を蛇腹状に折り畳んだりロール状に巻き取ることで、コンパクトに収納可能となっている。
【０００４】
ところで収納式の網戸の網材には、網材が安定して起立できるようにワイヤが取り付けられている。例えば、網材の端部に、ワイヤを所定方向に案内する案内部材と、この案内部材により案内されたワイヤが巻かれてスライド可能な固定部材と、を備える網戸が提案されている（例えば、特許文献１参照）。この網戸では、ワイヤは固定部材に巻かれた後、再び案内部材に戻って案内部材に固定される。この網戸によれば、固定部材をスライド移動させることで、ワイヤの長さを調整でき、その張り具合を調整できるとされている。
【先行技術文献】
【特許文献】
【０００５】
【特許文献１】特許第３４４５６７６号公報
【発明の概要】
【発明が解決しようとする課題】
【０００６】
しかしながら特許文献１の網戸では、ワイヤの張り具合を調整するための部材と、ワイヤを固定するための部材とが、別個独立して必要であった。そのため、部材点数が増えてコストが嵩むうえ、網戸の組立作業が煩雑であった。
【０００７】
本発明は上記に鑑みてなされたものであり、その目的は、従来よりも部材点数を低減でき、安価で組み立てが容易な網戸を提供することにある。
【課題を解決するための手段】
【０００８】
上記目的を達成するため本発明は、建物の開口部に取り付けられた枠体（例えば、後述の枠体１０）内に納められる網戸（例えば、後述の網戸３）であって、前記枠体を構成する一の枠材（例えば、後述の縦枠１４）に固定される戸当り枠（例えば、後述の戸当り枠３５）と、前記一の枠材に対向する枠材（例えば、後述の縦枠１３）に固定される固定框（例えば、後述の固定框３３）と、前記戸当り枠と前記固定框の間を見付方向に移動可能な可動框（例えば、後述の可動框３４）と、前記固定框と前記可動框との間に配置され、一端が前記固定框に固定されるとともに他端が前記可動框に固定されて前記可動框の移動に伴って伸縮可能な網材（例えば、後述の網材４）と、一端が前記戸当り枠に固定され、前記可動框から前記固定框まで前記網材を縫って掛け渡されるワイヤ（例えば、後述のワイヤ５１，５２，５３）と、前記固定框と前記網材の間に前記固定框に沿って延設され、前記ワイヤが挿通される挿通孔を有する取付板（例えば、後述の固定側取付板６）と、前記ワイヤの他端が固定されるとともに、前記取付板にその延設方向にスライド可能に取り付けられることで、前記ワイヤの張り具合を調整可能な固定調整部材（例えば、後述の固定調整部材８）と、を備えることを特徴とする網戸を提供する。
【０００９】
前記取付板は、その延設方向に延びる長孔（例えば、後述の長孔６２）を有し、前記固定調整部材は、板材（例えば、後述の板材８０）で構成されて前記長孔にねじ止めされることが好ましい。
【００１０】
前記固定調整部材は、前記板材に前記ワイヤの他端部が巻回されて固定されることが好ましい。
【発明の効果】
【００１１】
本発明によれば、従来よりも部品点数を低減でき、安価で組み立てが容易な網戸を提供できる。
【図面の簡単な説明】
【００１２】
【図１】本発明の一実施形態に係る網戸を備える開口部装置を屋内側から見たときの図である。
【図２】上記実施形態に係る網戸を備える開口部装置の縦断面図である。
【図３】上記実施形態に係る網戸を備える開口部装置の横断面図である。
【図４】上記実施形態に係る網戸の分解斜視図である。
【図５】図４中に２点破線で囲んで示す取付板及び固定調整部材の拡大図である。
【図６】固定調整部材を構成する板状の金属部材の平面図である。
【発明を実施するための形態】
【００１３】
以下、本発明の一実施形態について、図面を参照しながら詳しく説明する。なお、本明細書において、「見付方向」とは、建物の壁に形成された開口部に納められた窓におけるガラスの面方向を意味し、「見込方向」とは、上記ガラスの厚さ方向（すなわち、奥行き方向）を意味する。
【００１４】
図１は、本実施形態に係る開口部装置１を屋内側から見た姿図である。開口部装置１は、建物の壁に形成された開口部に納められる。開口部装置１は、建物の開口部に取り付けられる枠体１０と、枠体１０に納められる障子２（図１においては図示しない）と、障子２よりも屋内側に配置され且つ枠体１０に納められる網戸３と、を備える。
【００１５】
枠体１０は、上枠１１と、下枠１２と、左右の縦枠１３，１４と、により矩形に枠組みされる。なお、図１においては、縦枠１３側が吊元側であり、縦枠１４側が戸先側である。
網戸３は、見付方向に移動可能な可動框３４と、可動框の移動に伴って伸縮可能な網材４と、を有する。網戸３については、後段で詳述する。
【００１６】
図２は、本実施形態に係る開口部装置１の縦断面図である。図２は、開口部装置１を吊元側から見た縦断面図である。開口部装置１は、アルミ等の金属と樹脂とからなる複合型であり、複合型の枠体１０と、枠体１０に開閉可能に納められた複合型の障子２と、を備える。障子２は、上框２１と、下框２２と、左右の縦框２３，２４と、により矩形に框組みされた框体２０と、框体２０に嵌め込まれたガラス１００と、を有する。
【００１７】
ガラス１００は、屋内側の板ガラス１０１と、屋外側の板ガラス１０２と、これら２枚の板ガラスで挟持されたスペーサ１０３と、を備える複層ガラスであり、優れた断熱性を有する。
なお、本実施形態に係る開口部装置１は、枠体１０内に納められた障子２を、吊元側の縦框回りに回転させることで外側に開放可能な縦辷り出し窓である。
【００１８】
上枠１１は、屋外側に配置されたアルミ合金等の金属からなる金属上枠１１１と、その屋内側に配置され且つ塩化ビニル樹脂等の合成樹脂からなる樹脂上枠１１２と、を有する。
金属上枠１１１は、屋外側の外側金属上枠１１１ａと、屋内側の内側金属上枠１１１ｂと、を有する。金属上枠１１１は、外側金属上枠１１１ａ及び内側金属上枠１１１ｂによって挟まれて、これらを連結する樹脂製のブリッジ材１１１ｃを更に有する。また、金属上枠１１１は、屋外側に配置されるパッキン１１１ｄを更に有する。
【００１９】
樹脂上枠１１２は、複数の断面矩形状の空気室１１３ａを形成する格子状部１１２ａと、格子状部１１２ａの上側に突出する複数の突出部１１２ｂと、格子状部１１２ａの下側に位置し且つ網材４の上端をガイドするガイド溝１１２ｃを形成する凹状部１１２ｄと、を有する。ガイド溝１１２ｃの底面には、網戸の上框３１が係止される。
【００２０】
樹脂上枠１１２は、凹状部１１２ｄの屋外側に形成されるリブ１１２ｅと、その上側に間隔を開けて形成されたパッキン１１２ｆと、凹状部１１２ｄの屋外側の下端に配置されるパッキン１１２ｇを更に有する。樹脂上枠１１２の屋外側には、リブ１１２ｅ及びパッキン１１２ｆによって空気層１１３ｂが形成される。
また、金属上枠１１１と樹脂上枠１１２との間には、複数の突出部１１２ｂによって仕切られる複数の空気室１１３ｃが形成される。
【００２１】
上框２１は、屋外側に配置されたアルミ合金等の金属からなる金属上框２１１と、その屋内側に設けられ且つ塩化ビニル樹脂等の合成樹脂からなる樹脂上框２１２と、を有する。
金属上框２１１は、屋外側から鉛直方向に立設する金属上框立設部２１１ａを有する。金属上框２１１は、先端がパッキン１１１ｄに当接する。
樹脂上框２１２は、複数の断面矩形状の空気室２１３ａを形成する格子状部２１２ａを有する。格子状部２１２ａは、屋内側においてパッキン１１２ｇに当接する。
【００２２】
上框２１は、下向きに開口して形成される溝２１ａを有する。溝２１ａは、ガスケット１０ａを介してガラス１００の上端部を挟持する。溝２１ａの内部には、緩衝材１０ｂが配置される。
【００２３】
下枠１２及び下框２２は、上枠１１及び上框２１とそれぞれほぼ同様の構成であるので、対応する符号を付して、説明を省略する。
障子２は、上側アーム９１及び下側アーム９２によってそれぞれ上枠１１及び下枠１２と連結され、枠体１０内に吊り込まれる。
【００２４】
図２に示すように、開口部装置１は、突出部１１２ｂによって仕切られる空気室１１３ｃ及び突出部１２２ｂによって仕切られる空気室１２３ｃが、金属枠と樹脂枠との間に形成されることで断熱性能が向上する。また、開口部装置１は、パッキン１２２ｆとパッキン１２２ｇにより形成される空気層及び空気層１１３ｂによっても、断熱性能が向上する。
【００２５】
図３は、本実施形態に係る開口部装置１の横断面図である。図３は、開口部装置１を上側から見た横断面図である。
吊元側の縦枠１３は、屋外側に配置されたアルミ合金等の金属からなる金属縦枠１３１と、その屋内側に配置され且つ塩化ビニル樹脂等の合成樹脂からなる樹脂縦枠１３２と、を有する。
【００２６】
樹脂縦枠１３２は、複数の断面矩形状の空気室１３３ａを形成する格子状部１３２ａと、格子状部１３２ａの上側に突出する複数の突出部１３２ｂと、格子状部１３２ａの戸先側に位置し且つ後述する網戸３の固定框３３の納められる溝１３２ｃを形成する凹状部１３２ｄと、を有する。
【００２７】
樹脂縦枠１３２は、凹状部１３２ｄの屋内側に形成されるパッキン１３２ｆと、凹状部１３２ｄの戸先側の先端に配置されるパッキン１３２ｇを更に有する。また、金属縦枠１３１と樹脂縦枠１３２との間には、複数の突出部１３２ｂによって仕切られる複数の空気室１３３ｃが形成される。
【００２８】
吊元側の縦框２３は、屋外側に配置されたアルミ合金等の金属からなる金属縦框２３１と、その屋内側に配置され且つ塩化ビニル樹脂等の合成樹脂からなる樹脂縦框２３２と、を有する。
金属縦框２３１は、屋外側から吊元方向に延出する金属縦框横設部２３１ａを有する。金属縦框２３１は、金属縦框横設部２３１ａの先端に配置され且つ金属縦枠１３１に当接するパッキン２３１ｂを有する。
樹脂縦框２３２には、断面矩形状の空気室２３３ａが形成される。樹脂縦框２３２は、屋内側においてパッキン１３２ｆ，１３２ｇに当接する。
【００２９】
縦框２３は、戸先側に開口して形成される溝２３ａを有する。溝２３ａは、ガスケット１０ａを介してガラス１００の側端部を挟持する。
【００３０】
戸先側の縦枠１４及び縦框２４は、吊元側の縦枠１３及び縦框２３とそれぞれほぼ同様の構成であるので、対応する符号を付して、説明を省略する。
【００３１】
図３に示すように、開口部装置１は、突出部１３２ｂによって仕切られる空気室１３３ｃ及び突出部１４２ｂによって仕切られる空気室１４３ｃが、金属枠と樹脂枠との間に形成されることで断熱性能が向上する。また、開口部装置１は、パッキン１３２ｆとパッキン１３２ｇとの間に形成される空気層及びパッキン１４２ｆとパッキン１４２ｇとの間に形成される空気層によっても、断熱性能が向上する。
更に、網戸３が閉じられた状態の場合には、網材４自体の断熱性や網材４とガラス１００との間に形成される空気層によって屋内側に冷気が伝わり難くなる。
このように、開口部装置１は、非常に断熱性能が高い。
【００３２】
続いて、網戸３について詳しく説明する。図４は、網戸３の分解斜視図である。
網戸３は、上框３１と、下框３２と、固定框３３と、可動框３４と、戸当り枠３５と、網材４と、ワイヤ５１，５２，５３と、固定側取付板６と、可動側取付板７と、固定調整部材８と、を備える。
【００３３】
上框３１及び下框３２は、それぞれ上枠１１及び下枠１２に固定される塩化ビニル樹脂等の合成樹脂からなる長尺部材である。
【００３４】
戸当り枠３５は、枠体１０を構成する戸先側の縦枠１４に固定される。戸当り枠３５は、塩化ビニル樹脂等の合成樹脂からなる長尺部材である戸当り枠本体３５１と、戸当り枠３５の延設方向の両端部に取り付けられる端部キャップ３５２，３５２と、戸当り枠本体３５１の内部に配置されるマグネット部材３５３と、を備える。
【００３５】
固定框３３は、戸先側の縦枠１４に対向する吊元側の縦枠１３に固定される。固定框３３は、アルミ合金等の金属からなる長尺部材である固定框本体３３１と、固定框３３の延設方向の両端部に取り付けられる端部キャップ３３２，３３２と、備える。
【００３６】
可動框３４は、戸当り枠３５と固定框３３の間を見付方向（左右方向）に移動可能である。可動框３４は、網材４を折りたたんだ時に網材４が収納され且つアルミ合金等の金属からなる断面Ｕ字状の長尺部材である可動框本体３４１と、可動框本体３４１を覆い且つ塩化ビニル樹脂等の合成樹脂からなるカバー部材３４２と、可動框本体３４１とカバー部材３４２との間に配置されるマグネット部材３４３と、可動框３４の延設方向の両端部に取り付けられ且つワイヤ５１，５２，５３を案内する案内部材３４４，３４４と、を備える。可動框本体３４１、カバー部材３４２及び案内部材３４４，３４４は、ビス等の締結部材３４ａにより締結される。
【００３７】
網材４は、固定框３３と可動框３４との間に配置され、一端が固定框３３に固定されるとともに他端が可動框３４に固定されて可動框３４の移動に伴って伸縮可能である。網材４は、蛇腹状（プリーツ状）に成形されることで見付方向に伸縮可能になっている。
網材４は、固定框３３に後述する固定側取付板６を介して取り付けられる。また、網材４は、可動框３４に後述する可動側取付板７を介して取り付けられる。
【００３８】
ワイヤ５１，５２，５３は、一端が戸当り枠３５に固定され、可動框３４から固定框３３まで網材４を縫って掛け渡される。ワイヤ５３，５２は、上側の端部キャップ３５２から上框３１に沿って延び、上側の案内部材３４４によって下方向に案内されてから網材４を水平方向に縫って掛け渡される。一方、ワイヤ５１は、下側の端部キャップ３５２から下框３２に沿って延び、下側の案内部材３４４によって上方向に案内されてから網材４を水平方向に縫って掛け渡される。ワイヤ５３，５２と、ワイヤ５１とは、可動框３４内において高さ方向に重複して配置される。このように、ワイヤ５１，５２，５３が、上下にＺ状に曲がるように案内されて取り付けられることで、網材４を安定して起立させることができる。
【００３９】
固定側取付板６は、固定框３３と網材４の間に固定框３３に沿って延設され、ワイヤ５１，５２，５３が挿通される挿通孔６１を有する。
可動側取付板７は、可動框３４と網材４の間に可動框３４に沿って延設され、ワイヤ５１，５２，５３が挿通される挿通孔７１を有する。挿通孔７１にはガイド部材７ａが嵌め込まれている。
【００４０】
固定調整部材８は、ワイヤ５１，５２，５３の他端が固定されるとともに、前記取付板にその延設方向にスライド可能に取り付けられる。固定調整部材８は、ワイヤ５１，５２，５３の張り具合を調整可能である。固定調整部材８については後段で詳述する。
【００４１】
このような網戸３によれば、可動框３４を戸当り枠３５側に移動させることで網材４を閉鎖し、固定框３３側に移動させることで網材４を可動框３４と固定框３３の間に収納することができる。
【００４２】
以下、固定側取付板６及び固定調整部材８について、図４及び図５を参照して詳しく説明する。
ここで、図５は、図４中に２点鎖線で囲んで示す固定側取付板６及び固定調整部材８の拡大図である。図４に示すように、固定側取付板６は、固定框３３と網材の間において、固定框に沿って延設される。この固定側取付板６は、挿通孔６１と、長孔６２と、を有している。本実施形態では、これら挿通孔６１と長孔６２は、固定側取付板６の延設方向（上下方向）に等間隔で３つずつ形成される。ただしこれに限定されず、これら挿通孔６１と長孔６２は、ワイヤの数に応じて適宜形成される。
【００４３】
挿通孔６１は、円孔状に形成される。この挿通孔６１には、ワイヤ５１が挿通される。
長孔６２は、固定側取付板６の延設方向（上下方向）に延びて形成される。この長孔６２には、後述する固定調整部材８がねじ止めされる。より詳しくは、固定調整部材８がこの長孔６２に沿って固定側取付板６の延設方向（上下方向）にスライド移動可能となっており、長孔の所望の位置で固定調整部材８がねじ止めされる。
【００４４】
固定調整部材８は、矩形の板材８０で構成される。板材８０は、例えば金属製である。この固定調整部材８には、ワイヤ５１の他端が固定される。より詳しくは、図５に示すように、ワイヤ５１の他端部が巻回（本実施形態では２回巻き）されて、固定調整部材８に確実に固定されている。
【００４５】
ここで、図６は、固定調整部材８を構成する板材８０の平面図である。図６に示すように、固定調整部材８を構成する板材８０は、一対の切り欠き部８１，８１と、一対の溝部８２，８２と、爪部８３と、を備える。
一対の切り欠き部８１，８１は、矩形状の板材の一端側に等間隔で設けられる。これら一対の切り欠き部８１，８１は、板材の一端から中央に向かって、所定幅及び所定長さの帯状に切り欠かれて形成される。
一対の溝部８２，８２は、上述の切り欠き部８１，８１が形成された一端側に隣接する両端部において、その側面に設けられた凹部により形成される。これら一対の溝部８２，８２には、ワイヤが巻回（２回巻き）される（図５参照）。これにより、ワイヤの位置ずれが防止される。
爪部８３は、上述の一対の切り欠き部の間に形成される。この爪部８３は、図６中に破線で示すように中央側に１８０度折り曲げられて、後述する溝部に巻回されたワイヤ５１を介在させた状態で、かしめられる。これにより、ワイヤ５１の他端部が固定調整部材８に強固に固定される。
【００４６】
以上の構成を備える固定調整部材８によるワイヤ５１（５２，５３）の固定方法の手順は、以下の通りである。
先ず、網材４側から固定側取付板６の挿通孔に挿通されたワイヤ５１の他端部を、固定調整部材８を構成する板材８０に形成された一対の溝部８２，８２に巻回する。次いで、板状の金属部材に形成された爪部８３を、中央側に１８０度折り曲げる。その後、折り曲げた爪部８３を、巻回されたワイヤ５１の他端部を介在させた状態で、例えばペンチ等のハンドプレスによりかしめる。これにより、ワイヤ５１の他端部が固定調整部材に強固に固定される。
【００４７】
以上のようにしてワイヤ５１（５２，５３）の他端部が固定された固定調整部材８は、上述した通り、固定側取付板６の長孔６２に沿ってその延設方向（上下方向）にスライド移動させて、所望の位置でねじ止めされる。これにより、ワイヤ５１の長さ調整、ひいてはワイヤ５１の張り具合の調整が可能となっている。
【００４８】
本実施形態によれば、以下の効果が奏される。
本実施形態では、蛇腹状（プリーツ状）の網材を備える収納式の網戸３において、一端が戸当り枠３５に固定され、可動框３４から固定框３３まで網材４を縫って掛け渡されるワイヤ５１（５２，５３）を設けた。また、固定框３３と網材４の間に固定框３３に沿って延設され、ワイヤ５１が挿通される挿通孔６１を有する固定側取付板６を設けた。そして、ワイヤ５１の他端が固定されるとともに、固定側取付板６にその延設方向にスライド可能に取り付けられることで、ワイヤ５１の張り具合を調整可能な固定調整部材８を設けた。
本実施形態に係る網戸３によれば、ワイヤを固定する部材と、ワイヤの長さを調整してその張り具合を調整する部材とが一体となった固定調整部材８を備えるため、部材点数を低減でき、コストを削減できる。ひいては、網戸３の組み立て作業が従来よりも容易となる。特に、ワイヤ５１（５２，５３）をねじ止めで固定できるため、容易に網戸を組み立てできる。
【００４９】
また本実施形態では、延設方向に延びる長孔を取付板に設けるとともに、固定調整部材８を板材８０で構成して固定側取付板６の長孔６２にねじ止めした。これにより、固定調整部材８をより確実にスライド移動させることができ、上述の効果がより確実に奏される。
【００５０】
また本実施形態では、板材８０にワイヤ５１（５２，５３）の他端部を巻回して固定することで、固定調整部材８を形成した。これにより、ワイヤの他端部をより確実に固定でき、上述の効果がより確実に奏される。
【００５１】
なお、本発明は上記実施形態に限定されるものではなく、本発明の目的を達成できる範囲内での変形、改良等は本発明に含まれる。
上記実施形態では、本発明に係る網戸３を縦辷り出し窓に適用したが、これに限定されない。例えば、横辷り出し窓や引き違い窓の他、玄関に適用することもできる。
上記実施形態では、板材８０に形成した爪部８３を折り曲げてかしめることにより、ワイヤ５１の他端部を固定調整部材８に固定したが、これに限定されない。例えば、固定調整部材８にワイヤで縛ったり結んだりすることで、ワイヤを固定してもよい。
【符号の説明】
【００５２】
３…網戸
４…網材
６…固定側取付板（取付板）
８…固定調整部材
１０…枠体
１３，１４…縦枠（枠材）
３５…戸当り枠
３３…固定框
３４…可動框
５１，５２，５３…ワイヤ
６２…長孔
８０…板材
【図１】
2015227566.tif 000003
【図２】
2015227566.tif 000004
【図３】
2015227566.tif 000005
【図４】
2015227566.tif 000006
【図５】
2015227566.tif 000007
【図６】
2015227566.tif 000008